(57)【要約】【課題】食器洗浄機等の機器にコンパクトに収納可能に構成され、一旦機器本体に組み込まれると、給水ホース端を固定するカバー部が確実に閉止された状態が維持され、外部への水漏れを防止することができる接続具を提供する。【解決手段】給水ホース６４端部が給水ホース端固定部１０と給水ホース端固定カバー部１１との間に形成される給水ホース保持空間に保持される接続具１であって、給水ホース端固定カバー部１１に設けられた被係止突片１１ｄが給水ホース端固定部１０に設けられた係止片１０ｃに弾性係合されることにより、給水ホース端固定カバー部１１が給水ホース端固定部１０に閉止された状態で、この接続具１が食器洗浄機筐体６１の機器側取付部材６３に取り付けられたとき、給水ホース端固定カバー部１１が機器側取付部材６３に押圧されて、給水ホース６４端部が給水ホース端固定部１０と給水ホース端固定カバー部１１とに密着して挟持される。【選択図】図３
2008082480.tif 000002
【特許請求の範囲】
【請求項１】
給水ホース端固定カバー部が給水ホース端固定部に閉止されることによって、給水ホース端固定部と給水ホース端固定カバー部との間に形成される給水ホース保持空間に給水ホース端部が挟持される接続具であって、
前記給水ホース端部が前記給水ホース保持空間に保持され、前記給水ホース端固定カバー部に設けられた被係止突片が前記給水ホース端固定部に設けられた係止片に弾性係合されることにより、前記給水ホース端固定カバー部が前記給水ホース端固定部に閉止された状態で、該接続具が機器側取付部材に取り付けられたとき、前記給水ホース端固定カバー部が前記機器側取付部材に押圧されて、前記給水ホース端部が前記給水ホース端固定部と前記給水ホース端固定カバー部とに密着して挟持されることを特徴とする接続具。
【請求項２】
前記給水ホース端固定部および給水ホース端固定カバー部の各内周面に半円環突条部が複数段に形成され、該半円環突条部が前記給水ホース端部の外周面に形成された複数段の円環凹溝に係合して押圧するように構成されている請求項１に記載の接続具。
【請求項３】
前記給水ホース端固定部の内周面に形成された前記半円環突条部に隣接する上方位置に溢水開口が形成されるとともに、前記給水ホース端固定部の外周面には、前記溢水開口を挟む左右位置に縦壁が立設され、前記溢水開口の下方で前記左右の縦壁を繋ぐ形で横壁が立設され、さらに該横壁の下方に前記溢水開口から遠ざかるにつれて下位に傾斜する斜壁が立設されている請求項１または２に記載の接続具。
【請求項４】
前記斜壁が下位に傾斜して取り付く前記縦壁の一方の壁面に、下端の一部が切り欠いて形成された水切部が設けられている請求項３に記載の接続具。
【請求項５】
前記溢水開口を挟んで立設された左右の縦壁の一方が、排水ホースを支持する枠体の一部として構成されている請求項３に記載の接続具。
【請求項６】
前記給水ホース端固定カバー部が前記給水ホース端固定部に一体形成された樹脂ヒンジによりヒンジ結合されている請求項１〜５のいずれか一項に記載の接続具。
【請求項７】
前記給水ホース端固定部の上方位置にホースジョイント収納部が設けられ、該ホースジョイント収納部の前記給水ホース端固定部に近接した位置に収納溝が形成され、さらに、前記給水ホース端固定カバー部上部の前記収納溝に対向する位置に当接板が立設されており、前記収納溝にホースジョイントを保持したホースジョイント取付板が挿入され、前記給水ホース端固定カバー部が前記給水ホース端固定部に閉止されたときに、前記当接板が前記ホースジョイント取付板を押圧するように構成されている請求項１〜６のいずれか一項に記載の接続具。
【請求項８】
前記ホースジョイント収納部の上端部に内部給水ホース回転規制部が水平方向に延設され、該内部給水ホース回転規制部が、前記ホースジョイント取付板に回転可能に取り付けられ、内部給水ホースに接続される曲管部に当接し、この当接位置より外方に回転しないよう規制している請求項７に記載の接続具。
【請求項９】
前記樹脂ヒンジに隣接して係合孔を有する開放止め部材が配設されるとともに、前記給水ホース端固定カバー部に被係合突片が設けられ、前記給水ホース端固定カバー部か前記給水ホース端固定部に閉止されたとき、前記被係合片が前記係合孔に係合されて、前記給水ホース端固定カバー部の閉止状態が維持される請求項６〜８のいずれか一項に記載の接続具。
【発明の詳細な説明】
【技術分野】
【０００１】
本発明は、食器洗浄機等の機器に用いられ、給水ホースを機器内の内部給水ホースに接続する接続具に関するものである。
【背景技術】
【０００２】
食器洗浄機は、給水ホースと排水ホースとが接続されて使用されるが、特に、システムキッチンに装着されるビルトインタイプの食器洗浄機では、給水ホースと排水ホースの接続部をコンパクトに構成する必要がある。
【０００３】
ビルトインタイプの食器洗浄機として、例えば、下記の特許文献１に開示されている食器洗浄機７０では、食器洗浄機本体７１の背面７２上方に給水ホース７４、給水弁７５と排水ホース７６とが配置され、給水ホース７４から給水弁７５を介して洗浄室内に給水するとともに、排水ホース７６から機外へ排水する構造を有し、食器洗浄機本体７１の奥行き寸法を有効に利用できるようにするため、給水ホース７４と排水ホース７６のうちの少なくとも一方を食器洗浄機本体７１の背面７２に設けた溝部７３に配置し、食器洗浄機本体７１の背面７２上方から背面７２の外部を通して配管するようにした構成が示されている。
【０００４】
このような食器洗浄機７０では、給水ホース７４に高い水圧がかかり、給水弁７５が開閉されるたびに、給水弁７５と給水ホース７４との接続部分にも繰り返し高い水圧がかかるため、長期間の使用でこの接続部分が損傷を受けた場合、その損傷部分から水漏れが発生することがあった。
【０００５】
このような給水ホースの接続部からの水漏れを検出するものとして、下記の特許文献２に開示されている食器洗浄機８０では、給水弁８２の接続部から水漏れが発生したとき、既存の構造を利用して、漏れた水を受けるとともに、水漏れを検知して床面の濡れを防止するためとして、洗浄室８１と連通して異常水位を検知する異常水位検知手段８５を備え、水溜ケース８３を洗浄室８１外の給水弁８２の下方位置に設けるとともに、水溜ケース８３の通水口を有する蓋８４を、洗浄室８１外面に接するように設けて、給水弁８２の接続部から水漏れが発生したとき、漏れた水が蓋８４で受けられて、蓋８４の通水口から水溜ケース８３内に入り、水溜ケース８３内で異常水位に達したときに、異常水位検知手段８５により検知されるように構成されている。
【特許文献１】特開２００３−２１０３７８号公報
【特許文献２】特開平９−３８０１３号公報
【発明の開示】
【発明が解決しようとする課題】
【０００６】
しかしながら、この特許文献２では、給水弁８２の接続部において水漏れが発生するという問題のあることが認識されているものの、異常水位検知手段８５により水溜ケース８３内での異常水位を検知して床面の濡れを防止しようとするだけであって、給水弁８２の接続部における水漏れ自体を防止するための水漏れ防止機構等の有効な技術については開示されていない。
【０００７】
一方、本発明者らは、食器洗浄機の給水弁の接続部における水漏れの原因が、給水弁が開閉されるたびに、給水弁と給水ホースとの接続部分にも繰り返し高い水圧がかかることにあることから、流量制御弁を内蔵した給水弁を食器洗浄機の外部に配置し、給水弁から食器洗浄機の給水接続部（接続具）に至る間の二次給水ホースにかかる水圧を低下させることを提案している。
【０００８】
しかし、このような構成を採る食器洗浄機においても、水漏れを防止することのできる給水接続部（接続具）の構造について確立したものはない。また、特許文献１で示した従来の食器洗浄機にも取り付け可能で、水漏れ防止を図った接続具に至っては未だ開発されていないのが実情である。
【０００９】
本発明は、食器洗浄機等の機器にコンパクトに収納可能に構成され、機器本体に組み込まれた場合に、給水ホースの端部が接続具に確実に接続され、この接続部分から外部への水漏れを防止することができる接続具を提供することを目的としている。また、従来の機器に用いられていた接続具と交換して取り付け可能であり、同様にして外部への水漏れを防止することができる接続具を提供することを目的としている。
【課題を解決するための手段】
【００１０】
本発明の請求項１に係る接続具は、給水ホース端固定カバー部が給水ホース端固定部に閉止されることによって、給水ホース端固定部と給水ホース端固定カバー部との間に形成される給水ホース保持空間に給水ホース端部が挟持される接続具であって、給水ホース端部が給水ホース保持空間に保持され、給水ホース端固定カバー部に設けられた被係止突片が給水ホース端固定部に設けられた係止片に弾性係合されることにより、給水ホース端固定カバー部が給水ホース端固定部に閉止された状態で、この接続具が機器側取付部材に取り付けられたとき、給水ホース端固定カバー部が機器側取付部材に押圧されて、給水ホース端部が給水ホース端固定部と給水ホース端固定カバー部とに密着して挟持されることを特徴とするものである。
【００１１】
請求項１に係る接続具によれば、給水ホース端固定カバー部に設けられた被係止突片が給水ホース端固定部に設けられた係止片に弾性係合され、給水ホース端固定カバー部が給水ホース端固定部に閉止された状態で、接続具が一旦機器本体に組み込まれると、給水ホース端固定カバー部は、機器側取付部材に当接して給水ホース端固定部側に押圧され、閉止状態が維持されるとともに、給水ホース端部も押圧された状態で挟持されるため、この接続部分から外部への水漏れを確実に防止することができる。
【００１２】
また、本発明に係る接続具は、給水ホース端固定カバー部を給水ホース端固定部に閉止し、機器側取付部材に取り付けることで押圧力が発生するという簡単な構造でコンパクトに構成されており、従来の機器に用いられていた接続具と交換して、取り付けることが可能である。
【００１３】
本発明の請求項２に係る接続具は、請求項１に記載の接続具において、給水ホース端固定部および給水ホース端固定カバー部の各内周面に半円環突条部が複数段に形成され、この半円環突条部が給水ホース端部の外周面に形成された複数段の円環凹溝に係合して押圧するように構成されているものである。
【００１４】
請求項２に係る接続具によれば、給水ホース端固定部および給水ホース端固定カバー部の半円環突条部と給水ホースの端部の円環凹溝とが係合することによって、複数段の位置で半円環突条部と円環凹溝とを密着させてシーリングすることができ、この接続部分より下方への水漏れが発生しないようにすることができる。
【００１５】
本発明の請求項３に係る接続具は、請求項１または２に記載の接続具において、給水ホース端固定部の内周面に形成された半円環突条部に隣接する上方位置に溢水開口が形成されるとともに、給水ホース端固定部の外周面には、溢水開口を挟む左右位置に縦壁が立設され、溢水開口の下方で左右の縦壁を繋ぐ形で横壁が立設され、さらに横壁の下方に溢水開口から遠ざかるにつれて下位に傾斜する斜壁が立設されているものである。
【００１６】
請求項３に係る接続具によれば、給水ホースとの接続部において万一水漏れが発生すれば、漏れ出した水は給水ホース端固定部および給水ホース端固定カバー部の内周面に形成された半円環突条部の上方に停留することになるが、溢水開口を設けたことにより、溢水開口から速やかに外部に流出させることができる。しかも、漏れ出した水は左右の縦壁に挟まれた横壁上から、さらに斜壁の下位に傾斜した方向に向かって、すなわち、給水ホース端固定部から外方に向かって形成された流路にしたがって排出されることになる。このように、限られた空間の中でコンパクトに漏れ出した水の流路を設定することができるとともに、漏れ出した水は一定の流路を辿って、機器本体の下位部分に導かれ、不用意に電装部品を濡らすこと等に起因して起こる不具合の発生を防止することができる。なお、最終的に漏れ出した水が導かれる部分に溢水センサーを配設しておけば、この溢水センサーにより水漏れを検知することができる。
【００１７】
本発明の請求項４に係る接続具は、請求項３に記載の接続具において、斜壁が下位に傾斜して取り付く縦壁の一方の壁面に、下端の一部が切り欠いて形成された水切部が設けられているものである。
【００１８】
請求項４に係る接続具によれば、溢水開口から漏れ出し、斜壁に導かれてきた水が縦壁の一方の壁面を経由して下方に導かれ、その下端に設けられた水切部で滴下させることができ、不用意に電装部品を濡らすこと等に起因して起こる不具合の発生を確実に防止することができる。
【００１９】
本発明の請求項５に係る接続具は、請求項３に記載の接続具において、溢水開口を挟んで立設された左右の縦壁の一方が、排水ホースを支持する枠体の一部として構成されているものである。
【００２０】
請求項５に係る接続具によれば、排水ホースを保持する枠体の一部をこの縦壁で兼用することにより、接続具をコンパクトに構成して、使用材料（重量）を軽減することができる。
【００２１】
本発明の請求項６に係る接続具は、請求項１〜５のいずれか一項に記載の接続具において、給水ホース端固定カバー部が給水ホース端固定部に一体形成された樹脂ヒンジによりヒンジ結合されているものである。
【００２２】
請求項６に係る接続具によれば、一体に構成された樹脂ヒンジにより簡単に給水ホース端固定カバー部が給水ホース端固定部に弾性的に結合され、結合のために他の部材を準備しなくてもよく、接続具をコンパクトに構成することができる。また、接続具を樹脂金型を用いて注入成形する場合、樹脂ヒンジも同一の金型で同時に形成することができる。
【００２３】
本発明の請求項７に係る接続具は、請求項１〜６のいずれか一項に記載の接続具において、給水ホース端固定部の上方位置にホースジョイント収納部が設けられ、このホースジョイント収納部の給水ホース端固定部に近接した位置に収納溝が形成され、さらに、給水ホース端固定カバー部上部の収納溝に対向する位置に当接板が立設されており、収納溝にホースジョイントを保持したホースジョイント取付板が挿入され、給水ホース端固定カバー部が給水ホース端固定部に閉止されたときに、当接板がホースジョイント取付板を押圧するように構成されているものである。
【００２４】
請求項７に係る接続具によれば、収納溝と、この収納溝を介してホースジョイント収納部に収納されたホースジョイント取付板に対向してこれを押圧する当接板とのコンパクトな構成でありながら、給水ホース端固定カバー部を給水ホース端固定部に閉止したときに、確実にホースジョイントをその収納部に固定することができる。
【００２５】
本発明の請求項８に係る接続具は、請求項７に記載の接続具において、ホースジョイント収納部の上端部に内部給水ホース回転規制部が水平方向に延設され、この内部給水ホース回転規制部が、ホースジョイント取付板に回転可能に取り付けられ、内部給水ホースに接続される曲管部に当接し、この当接位置より外方に回転しないよう規制しているものである。
【００２６】
請求項８に係る接続具によれば、ホースジョイント収納部の上方に設けられた内部給水ホース回転規制部というコンパクトな構成により、確実に内部給水ホース（曲管部）の回転範囲を規制することができる。
【００２７】
本発明の請求項９に係る接続具は、請求項６〜８のいずれか一項に記載の接続具において、樹脂ヒンジに隣接して係合孔を有する開放止め部材が配設されるとともに、給水ホース端固定カバー部に被係合突片が設けられ、給水ホース端固定カバー部か給水ホース端固定部に閉止されたとき、被係合片が係合孔に係合されて、給水ホース端固定カバー部の閉止状態が維持されるものである。
【００２８】
請求項９に係る接続具によれば、給水ホース端固定カバー部が給水ホース端固定部に樹脂ヒンジ側で確実に拘束されるため、より確実に給水ホース端固定部と給水ホース端固定カバー部との間に形成される空間に給水ホースを固定保持することができる。また、このような拘束保持のために他の部材を準備しなくてもよく、接続具をコンパクトに構成することができるとともに、接続具を樹脂金型を用いて注入成形する場合、樹脂ヒンジも同一の金型で形成することができる。
【発明の効果】
【００２９】
本発明の接続具によれば、食器洗浄機等の機器にコンパクトに収納可能に構成され、機器本体に組み込まれた場合に、給水ホースの端部が接続具に確実に接続され、この接続部分から外部への水漏れを防止することができる。また、従来の機器に用いられていた接続具と交換して取り付け可能であり、同様にして外部への水漏れを防止することができる。
【発明を実施するための最良の形態】
【００３０】
以下、本発明の接続具に係る最良の実施の形態について、図１〜図７に基づき詳細に説明する。図１は、本発明に係る接続具を食器洗浄機に取り付けた一つの適用例を説明するための正面図である。図２は、本発明に係る接続具の概要を説明するための、給水ホース端固定カバー部を閉止した状態を示す斜視図であり、図３は、給水ホース端固定カバー部を開放した状態を示す斜視図である。図４は、図１の一部分を拡大した側面図である。また、図５は、本発明に係る接続具の構造を説明するため、給水ホース端固定カバー部を閉止した状態を示す正面図であり、図６は、給水ホース端固定カバー部を開放した状態を示す正面図であり、図７は、その背面図である。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００３１】
本発明に係る接続具１は、例えば、図１に示されるように、食器洗浄機６０の機器筐体６１の側壁（機器側取付部材６３）に取り付けられ、洗浄室６２に接続されて洗浄水を供給する内部給水ホース６７と食器洗浄機６０外からの給水ホース６４とを接続する接続具であって、本実施の形態では、接続される給水ホース６４の上流側に給水弁６５が設けられており、この給水弁６５より下流側で、給水ホース６４（二次側）と内部給水ホース６７とを接続している。給水弁６５より上流側の給水ホース６６（一次側）では高い水圧がかかっているが、給水弁６５に組み込まれた不図示の流量制御弁により、下流側の給水ホース６４（二次側）では一次側より低い水圧に調整されている。なお、給水ホース６４は二重構造を有し、本来の耐圧性を有する給水ホース６４ａの外側を保護ホース６４ｂで覆った構成を持っている。
【００３２】
また、接続具１は、食器の洗浄に使用された後の排水を一旦上位に引き上げ、機器外部に排出するため、排水ホース６８をも保持する構成となっている。
【００３３】
接続具１は、給水ホース６４（保護ホース６４ｂ）の端部（保護ホース端６４ｃ）を固定する給水ホース端固定部１０と、給水ホース端固定部１０の下方に位置して給水ホース６４（保護ホース６４ｂ）を挟持する給水ホース保持部２０と、給水ホース端固定部１０の上方に位置して給水ホース６４（給水ホース６４ａ）と内部給水ホース６７とを接続するホースジョイント４０を収納するホースジョイント収納部３０とを備えて構成されている。このような接続具は、ポリプロピレン樹脂やポリカーボネート樹脂などの合成樹脂を用いて一体に成形されている。
【００３４】
給水ホース端固定部１０は、保護ホース６４ｂの保護ホース端６４ｃを上方向に向けてこの保護ホース端６４ｃを収容固定するものであり、保護ホース端６４ｃの外周面に沿った半円筒形状の内周面を有する胴壁部１０ａを備え、その胴壁部１０ａには保護ホース端６４ｃに設けられた複数段（本実施の形態では上下２段）の円環凹溝６４ｄに係合する複数段（本実施の形態では上下２段）の半円環状突条部１０ｂが形成されている。また、給水ホース端固定部１０には、その保護ホース端６４ｃの軸方向に沿った一方の端面（図５で左側の端面）に樹脂ヒンジ１２が一体に設けられ、給水ホース端固定カバー部１１がこの樹脂ヒンジ１２により開放可能に連結されている。
【００３５】
給水ホース端固定カバー部１１は、下方部位に保護ホース端６４ｃの外周面に沿った半円筒形状の内周面を有する胴壁部１１ａを備え、その胴壁部１１ａには保護ホース端６４ｃに設けられた上下２段の円環凹溝６４ｄに係合する上下２段の半円環状突条部１１ｂが形成されている。
【００３６】
このように構成された接続具１の給水ホース端固定部１０と給水ホース端固定カバー部１１との間に形成された空間に保護ホース端６４ｃが収容保持され、給水ホース端固定カバー部１１が給水ホース端固定部１０に閉止された時には、給水ホース端固定部１０および給水ホース端固定カバー部１１の内周面に形成された半円環突条部１０ｂ、１１ｂが保護ホース端６４ｃの外周面に形成された上下２段の円環凹溝６４ｄを押圧し、高い密着性が得られるように構成されている。
【００３７】
また、給水ホース端固定カバー部１１は、上方部位に、平板状に形成され、奥行き方向の寸法が保護ホース端６４ｃの外径の略１／２に設定され、幅方向の寸法が保護ホース端６４ｃの外径と略同一に設定された当接部１１ｃを備え、給水ホース端固定カバー部１１が給水ホース端固定部１０に閉止された時には、保護ホース端６４ｃが収容される空間の背面側の当接部１１ｃの外表面が接続具１全体の機器取付面１ａ（図４に一点鎖線で表示）より若干突出するように寸法設定されている。
【００３８】
したがって、給水ホース端固定カバー部１１を給水ホース端固定部１０に閉止し、給水ホース保持カバー部２１を給水ホース保持部２０に閉止した状態で、接続具１を機器側取付部材６３に取り付けると、機器取付面１ａが機器側取付部材６３に当接することになるが、当接部１１ｃの外表面が機器取付面１ａに対して若干突出するように構成されているため、当接部１１ｃが給水ホース端固定カバー部１１を給水ホース端固定部１０側に押圧することになる。これにより、給水ホース端固定カバー部１１が閉止される状態が維持されるとともに、半円環突条部１０ｂ、１１ｂが保護ホース端６４ｃの円環凹溝６４ｄを押圧した状態で保護ホース端６４ｃが挟持され続けるため、接続具１から給水ホース端固定部１０下方への水漏れを確実に防止することができる。
【００３９】
また、給水ホース端固定カバー部１１の樹脂ヒンジ１２と反対側の端面には被係止突片１１ｄが突設され、給水ホース端固定部１０の他方の端面（図５で右側の端面）には係止片１０ｃ（フック）が給水ホース端固定部１０の開口に向けて被係止突片１１ｄに対向するように立設されており、被係止突片１１ａが係止片１０ｃに係合することにより給水ホース端固定部１０の開口が閉止され、給水ホース端固定部１０と給水ホース端固定カバー部１１との間に形成される空間に保護ホース端６４ｃが固定保持されることなる。
【００４０】
さらに、給水ホース端固定カバー部１１の樹脂ヒンジ１２に連結される端面には被係合突片１１ｅが突設され、給水ホース端固定部１０の樹脂ヒンジ１２が設けられる側の端面には、被係合突片１１ｅに対向する位置に係合孔１０ｅを有する開放止め部材１０ｄが立設されており、給水ホース端固定カバー部１１を給水ホース端固定部１０に閉止した状態で被係合突片１１ｅが係合孔１０ｅに係合することにより、給水ホース端固定カバー部１１が給水ホース端固定部１０に樹脂ヒンジ１２側で確実に拘束されるため、より確実に給水ホース端固定部１０と給水ホース端固定カバー部１１との間に形成される空間に保護ホース端６４ｃが固定保持されることなる。
【００４１】
給水ホース保持部２０は、給水ホース端固定部１０の下方にあって、保護ホース端６４ｃに近接した保護ホース６４ｂを挟時するものであり、保護ホース６４ｂの外周面に沿った内周面を有する断面視略Ｕ字状の胴壁部２０ａを備え、その保護ホース６４ｂの軸方向に沿った一方の端面（図５で右側の端面）に、給水ホース保持カバー部２１が樹脂ヒンジ２２により開放可能に連結されており、給水ホース保持カバー部２１は、平板状に形成された胴壁部２１ａを備えている。なお、胴壁部２０ａの奥行き方向および幅方向の寸法は、保護ホース６４ｂの外径と略同一に設定されている。
【００４２】
また、給水ホース保持カバー部２１の樹脂ヒンジ２２と反対側の端面には被係止突片２１ｂが突設され、給水ホース保持部２０の他方の端面（図５で左側の端面）側に配設された排水ホース拘束枠体５２には係止片５２ｂ（フック）が給水ホース保持部２０の開口に向けて、被係止突片２１ｂに対向するように立設されており、被係止突片２１ｂが係止片５２ｂに係合することにより給水ホース保持部２０の開口が閉止され、給水ホース保持部２０と給水ホース保持カバー部２１との間に形成される空間に保護ホース６４ｂが保持されることなる。
【００４３】
さらに、給水ホース保持カバー部２１の樹脂ヒンジ２２に連結される端面には被係合突片２１ｃが突設され、給水ホース保持部２０の樹脂ヒンジ２２が設けられる側の端面には、被係合突片２１ｃに対向する位置に係合孔２０ｃを有する開放止め部材２０ｂが立設されており、給水ホース保持カバー部２１を給水ホース保持部２０に閉止した状態で被係合突片２１ｃが係合孔２０ｃに係合することにより、給給水ホース保持カバー部２１が給水ホース保持部２０に樹脂ヒンジ２２側で確実に拘束されるため、より確実に給水ホース保持部２０と給水ホース保持カバー部２１との間に形成される空間に保護ホース６４ｂが保持されることなる。
【００４４】
給水ホース端固定部１０の胴壁部１０ａに形成された上下２段の半円環突条部１０ｂの各直上位置には、胴壁部１０ａを貫通する溢水開口１０ｆが設けられ、胴壁部１０ａの外側（背面側）にはこれらの上下２段の溢水開口１０ｆを挟んで左右両側に第１縦壁１３ａ（図７で右側）と第２縦壁１３ｂ（同、左側）が立設され、溢水開口１０ｆの下方に左右の縦壁１３ａ、１３ｂを繋ぐ形で横壁１３ｃが立設され、さらにその下方に第１縦壁１３ａ側に接近するに従って下方に傾斜する斜壁１３ｄが立設されている。そして、これらの縦壁１３ａ、１３ｂ、横壁１３ｃと斜壁１３ｄとで溢水誘導路１３が構成され、万一、後述のホースジョイント４０の接続部（直管部４７と給水ホース６４ａとの接続部、あるいは、曲管部４３と内部給水ホース６７との接続部）で水漏れが発生した場合には、この溢水開口１０ｆおよび溢水誘導路１３（縦壁１３ａ、１３ｂ→横壁１３ｃ→斜壁１３ｄ）を経由して第１縦壁１３ａの下方に溢水を誘導する。そして、第１縦壁１３ａの下端に、その一部が切り欠かれて水切部１３ｅが形成されており、下方に誘導された溢水は水切部１３ｅにおいて滴下することになる。そして、この機器内部の水切部１３ｅの下方に配設された溢水センサー６９により水漏れが発生したことを検出することができる。
【００４５】
ホースジョイント収納部３０は、給水ホース端固定部１０の上方位置に形成され、ホースジョイント収納部３０の底壁３１から上方に所定寸法隔てた左右の側壁３２の位置に突条片３３が相互に対抗する方向に向けて立設され、この突条片３３と底壁３１との間に収納溝３４が形成されている。そして、この収納溝３４にホースジョイント４０のホースジョイント取付板４１を挿入して、給水ホース端固定カバー部１１を閉止したときに、給水ホース端固定カバー部１１上部に立設された当接板１１ｆがホースジョイント取付板４１下方の固定部４６に当接して、ホースジョイント４０がホースジョイント収納部３０内に収容され、固定されるように構成されている。
【００４６】
また、ホースジョイント収納部３０の一方の側壁３２（図５では左側の側壁）のさらに上方の位置に、内部給水ホース回転規制部３５が内側に張出するように立設され、後述のホースジョイント４０の曲管部４３がこの内部給水ホース回転規制部３５に当接することにより、この当接位置より外方に回転しないよう規制されている。
【００４７】
ホースジョイント４０は、給水ホース６４ａと内部給水ホース６７とを接続するためのものであり、ホースジョイント取付板４１の上方に雄ネジ部４２が一体に設けられ、内部給水ホース６７が接続される曲管部４３の基端側が、雄ネジ部４２との間に逆流防止弁４４を装着した状態で、ナット部材４５により雄ネジ部４２に回転可能に螺合されているとともに、ホースジョイント取付板４１の下方に固定部４６が設けられ、固定部４６の下方に給水ホース６４ａが接続される直管部４７が一体に設けられている。
【００４８】
給水ホース端固定部１０およびホースジョイント収納部３０の背面側には、排水ホース保持枠体５０と排水ホース支持枠体５１とが円弧状に排水ホース６８を保持可能な間隔を隔てて立設されており、この排水ホース保持枠体５０と排水ホース支持枠体５１と間に形成された空間に排水ホース６８を収容するとともに、排水ホース保持枠体５０の縁部に立設された突片５０ａと排水ホース支持枠体５１の縁部に立設された突片５１ａにより排水ホース６８を保持し、排水ホース支持枠体５１の縁部に立設された支持片５１ｂにより排水ホース６８がこの収容空間から離脱しないように支持している。
【００４９】
さらに、給水ホース保持カバー部２１の端面（図５で左側の端面）外側に、断面視略Ｕ字状の排水ホース拘束枠体５２が一体に設けられ、排水ホース保持枠体５０と排水ホース支持枠体５１に保持された排水ホース６８の下方部位をこの排水ホース拘束枠体５２内にて屈曲拘束するとともに、その縁部に立設された支持片５２ａにより排水ホース６８を保持している。
【００５０】
ここで、排水ホース支持枠体５１と排水ホース拘束枠体５２との間には、給水ホース端固定部１０の背面側に立設された第１縦壁１２ａが存在しており、この第１縦壁１２ａの外面側（図７で右側）を排水ホース６８を誘導支持するための支持板として機能させることができる。これにより、他に支持板を設ける必要がなく、部品点数を削減でき、接続具１をコンパクトに構成して、使用材料（重量）を軽減することができる。
【００５１】
なお、上記実施の形態では、給水ホース端固定カバー部１１の胴壁部１１ａには保護ホース端６４ｃに設けられた上下２段の円環凹溝６４ｄに係合する上下２段の半円環状突条部１１ｂが形成されているが、円環凹溝６４ｄおよび半円環状突条部１１ｂは３段以上の複数段で構成されてもよい。また、これに伴い、半円環突条部１０ｂの各直上位置に設けられる溢水開口１０ｆも３箇所以上の複数箇所に設けられてもよい。
【図面の簡単な説明】
【００５２】
【図１】本発明に係る接続具を食器洗浄機に取り付けた一つの適用例を説明するための正面図である。
【図２】本発明に係る接続具の概要を説明するための斜視図（給水ホース端固定カバー部を開放した状態を示す）である。
【図３】本発明に係る接続具の概要を説明するための斜視図（給水ホース端固定カバー部を閉止した状態を示す）である。
【図４】本発明に係る接続具の構造を説明するための側面図（図１の部分拡大図）である。
【図５】本発明に係る接続具の構造を説明するための正面図（給水ホース端固定カバー部を開放した状態を示す）である。
【図６】本発明に係る接続具の構造を説明するための正面図（給水ホース端固定カバー部を閉止した状態を示す）である。
【図７】本発明に係る接続具の構造を説明するための背面図である。
【図８】従来の接続具を食器洗浄機に取り付けた例を説明するための、（ａ）は正面図であり、（ｂ）は背面側から見た斜視図である。
【図９】従来の別の接続具を食器洗浄機に取り付けた例を説明するための正面図である。
【符号の説明】
【００５３】
１      接続具
１ａ    機器取付面
１０    給水ホース端固定部
１０ｂ  半円環突条部
１０ｃ  係止片
１０ｄ  開放止め部材
１０ｅ  係合孔
１０ｆ  溢水開口
１１    給水ホース端固定カバー部
１１ｂ  半円環突条部
１１ｃ  当接部
１１ｄ  被係止突片
１１ｅ  被係合突片
１１ｆ  当接板
１２    樹脂ヒンジ
１３    溢水誘導路
１３ａ，１３ｂ  縦壁
１３ｃ  横壁
１３ｄ  斜壁
１３ｅ  水切部
３０    ホースジョイント収納部
３４    収納溝
３５    内部給水ホース回転規制部
４０    ホースジョイント
４１    ホースジョイント取付板
５２    排水ホース拘束枠体
６０    食器洗浄機
６１    機器筐体
６２    洗浄室
６３    筐体側壁（機器側取付部材）
６４    給水ホース（二次側）
６４ａ  給水ホース
６４ｂ  保護ホース
６４ｃ  保護ホース端
６４ｄ  円環凹溝
６５    給水弁
６７    内部給水ホース
６８    排水ホース
【図１】
2008082480.tif 000003
【図２】
2008082480.tif 000004
【図３】
2008082480.tif 000005
【図４】
2008082480.tif 000006
【図５】
2008082480.tif 000007
【図６】
2008082480.tif 000008
【図７】
2008082480.tif 000009
【図８】
2008082480.tif 000010
【図９】
2008082480.tif 000011